(57)【要約】【課題】増設用のフラッシュに対する制御信号の伝達手段を有さず、小出力の内蔵光源しか有さない撮影装置で、内蔵光源より明るい照明を増設し、増設された照明に適した撮影条件で撮影を可能にする撮影用照明増幅装置を提供する。【解決手段】  内蔵光源11から発せられる光を受光して検出する受光手段21と、受光手段21が受光した予備発光及び本発光の増幅処理を実行する制御手段と、制御手段の増幅処理により、受光手段21で受光した予備発光及び本発光を増幅させた増幅光を、発光し、副増幅光を発光したとき、副増幅光の発光によって、撮影装置に撮影設定を実行させる増光用発光手段と  を具備する撮影用照明増幅装置を用いる。【選択図】図１
2012177897.tif 000002
【特許請求の範囲】
【請求項１】
撮影時に本発光することによって発光する内蔵光源を具備し、内蔵光源が撮影に伴うシャッタ動作に同期して発光する本発光以外に、撮影条件の設定に利用される予備発光を行い、予備発光の発光によって得られた撮影条件の情報に応じた撮影設定で作動する撮影装置に用いられ、
内蔵光源から発せられる光を受光して検出する受光手段と、
受光手段が受光した予備発光及び本発光の増幅処理を実行する制御手段と、
制御手段の増幅処理により、受光手段で受光した予備発光を増幅させた副増幅光と本発光を増幅させた主増幅光とを発光し、副増幅光を発光したとき、副増幅光の発光を用いて、撮影装置に撮影設定を実行させる増光用発光手段と
を具備する撮影用照明増幅装置。
【請求項２】
撮影装置に着脱可能に構成される請求項１に記載の撮影用照明増幅装置。
【請求項３】
撮影装置の内蔵光源からの発光が、撮影領域に対して遮断される請求項１又は２に記載の撮影用照明増幅装置。
【請求項４】
受光手段が、撮影装置の内蔵光源を覆う請求項１から３のいずれかに記載の撮影用照明増幅装置。
【請求項５】
制御手段が、受光手段で検出された光の発光強度、発光時間、発光波形の群から選ばれる少なくとも１つの情報に基づいて、増光用発光手段から発光される光の発光強度、発光時間、発光波形の群から選ばれる少なくとも１つを制御する請求項１から４のいずれかに記載の撮影用照明増幅装置。
【請求項６】
増光用発光手段から発光される副増幅光によって撮影装置の撮影設定がなされることにより、副増幅光によって撮影装置のシャッタ動作の時期が設定され、増光用発光手段から発光される本発光の時期が、撮影設定に従って実行される撮影装置のシャッタの動作の時期と同期する請求項１から５のいずれかに記載の撮影用照明増幅装置。
【請求項７】
本発光の増幅率が、予備発光の増幅率と同一である請求項１から６のいずれかに記載の撮影用照明増幅装置。
【請求項８】
制御手段が、複数段の予備発光及び本発光の増幅率を切り換える増幅率切換手段を有し、
増光用発光手段が、使用する増幅率に応じて、異なる増幅率で発光する請求項７に記載の撮影用照明増幅装置。
【請求項９】
複数段の増幅率が、撮影対象との距離に応じて設定され、遠距離の増幅率が、近距離の増幅率より高く設定される請求項８に記載の撮影用照明増幅装置。
【請求項１０】
増幅率切換手段が利用者によって切り換えられる請求項８又は９に記載の撮影用照明増幅装置。
【請求項１１】
予備発光の発光によって得られる撮影条件の情報が、合焦点距離、ＩＳＯ感度、レンズ絞り値、シャッタ速度の群から選ばれる少なくとも１つの情報である請求項１から１０のいずれかに記載の撮影用照明増幅装置。
【請求項１２】
撮影装置が携帯端末であって、携帯端末に用いられる請求項１から１１のいずれかに記載の撮影用照明増幅装置。
【請求項１３】
主増幅光が、撮影装置のシャッタ動作が開始前から点灯する請求項１から１２のいずれかに記載の撮影用照明増幅装置。
【請求項１４】
副増幅光、及び、主増幅光が連続して点灯する請求項１３に記載の撮影用照明増幅装置。
【請求項１５】
撮影装置の少なくとも一部を、撮影装置の内蔵光源を内部に収容し、かつ、撮影装置のレンズが外部に露出した状態で挿入し得る開口を有し、撮影装置に着脱自在に装着されるケーシングと、
撮影装置に装着されるケーシングの内部の、内蔵光源から発光される光を受光する位置に設けられ、内蔵光源から発光される光を受光する受光手段と、
撮影装置に装着されるケーシングの、撮影領域に向けて発光し得る位置に設けられ、受光手段で受光した光を増幅して発光する増光用発光手段と
を具備する請求項１から１４のいずれかに記載の撮影用照明増幅装置。
【請求項１６】
撮影時に本発光することによって撮影領域を照明する内蔵光源を具備し、内蔵光源が撮影に伴うシャッタ動作に同期して発光する本発光以外に、撮影領域に対して撮影条件の設定に利用される予備発光を行い、予備発光の発光によって得られた撮影条件の情報に応じた撮影設定で作動する撮影装置と、
撮影装置に着脱自在に設けられ、内蔵光源から発せられる光を受光して検出する受光手段と、受光手段が受光した予備発光及び本発光の増幅処理を実行する制御手段と、制御手段の増幅処理により、受光手段で受光した予備発光を増幅させた副増幅光と本発光を増幅させた主増幅光を発光し、副増幅光を発光したとき、副増幅光の発光によって、撮影装置に撮影設定を実行させる増光用発光手段とを具備する撮影用照明増幅装置と
からなる撮影システム。
【請求項１７】
撮影装置の内蔵光源が、撮影条件の設定に利用される第１の予備発光と、第１の予備発光によって得られた撮影条件の設定に基づいた本発光の増幅率の設定に関する情報を含む第２の予備発光と、設定された撮影条件に従い、撮影に伴うシャッタ動作に同期して発光する本発光を行い、
撮影用照明増幅装置の制御手段が、受光手段が受光した第１の予備発光の増幅処理を実行し、受光手段が受光した第２の予備発光の増幅率の設定に従い、本発光の増幅処理を実行し、
増光用発光手段が、制御手段の増幅処理により、第１の副増幅光を発光し、第２の予備発光の増幅率に従った主増幅光を発光する
請求項１６に記載の撮影システム。
【請求項１８】
撮影装置の内蔵光源が、撮影条件を設定するための第１の予備発光を行い、第１の副増幅光の発光によって設定された撮影条件に基づき、本発光の増幅率の設定に関する情報を含み、かつ、撮影条件の再設定に利用される第２の予備発光を行い、第２の予備発光によって得られた撮影条件の情報に応じて再設定された撮影設定でシャッタ動作及び本発光を行い、
撮影用照明増幅装置の制御手段が、受光手段が受光した第１の予備発光の増幅処理を実行し、受光手段が受光した第２の予備発光の増幅率の設定に従い、第２の予備発光の増幅処理をし、受光手段が受光した第２の予備発光の増幅率の設定に従い、本発光の増幅処理をし、
増光用発光手段が、制御手段の増幅処理により、第１の副増幅光を発光し、第２の予備発光に含まれる増幅率に応じて増幅された第２の副増幅光を発光し、第２の予備発光に含まれる増幅率に応じて増幅された主増幅光を発光する
請求項１６に記載の撮影システム。
【請求項１９】
第１の予備発光で設定される撮影条件が撮影対象との距離を示す情報であり、第２の予備発光に含まれる撮影対象との距離を示す情報に従って、少なくとも本発光の増幅率が設定される請求項１７又は１８に記載の撮影システム。
【請求項２０】
撮影装置が、撮影領域に向けて発光する内蔵光源を具備し、
撮影用照明増幅装置が、
撮影装置の内蔵光源を内部に収容し、撮影装置のレンズが外部に露出した状態で撮影装置の少なくとも一部を挿入し得る開口を有し、撮影装置に着脱自在に装着されるケーシングと、
撮影装置に装着されるケーシングの内部の、内蔵光源から発光される光を受光する位置に設けられ、内蔵光源から発光される光を受光する受光手段と、
撮影装置に装着されるケーシングの、撮影領域に向けて発光し得る位置に設けられ、受光手段で受光した光を増幅して発光する増光用発光手段とを具備する
請求項１６から１９のいずれかに記載の撮影用照明増幅システム。
【請求項２１】
内蔵光源を有する撮影装置のシャッタが押圧され、内蔵光源が予備発光したときに、撮影装置の内蔵光源からの発光を受光し得る位置に着脱可能に取り付けられた受光手段を介して予備発光を受光するステップと、
受光した予備発光を増幅するステップと、
撮影装置の着脱可能に取り付けられた増光用発光手段を介して、予備発光を増幅した副増幅光を発光するステップと、
副増幅光の発光を用いて、撮影装置が撮影条件の設定を実行するステップと、
設定された撮影条件に従ってシャッタ動作を実行し、シャッタ動作と同期して、撮影装置の内蔵光源が本発光するステップと、
受光手段が撮影装置の内蔵光源の本発光を受光したとき、受光した本発光を増幅し、シャッタ動作に同期して、増光用発光手段を介して、本発光を増幅した主増幅光を発光するステップと
からなる撮影用照明システムの動作方法。
【請求項２２】
内蔵光源を有する撮影装置のシャッタが押圧され、内蔵光源が第１の予備発光したときに、撮影装置の内蔵光源からの発光を受光し得る位置に着脱可能に取り付けられた受光手段を介して第１の予備発光を受光するステップと、
受光した第１の予備発光を増幅するステップと、
撮影装置に着脱可能に取り付けられた増光用発光手段を介して、第１の予備発光を増幅した第１の副増幅光を発光するステップと、
第１の副増幅光の発光を用いて、撮影装置が撮影条件を設定するステップと、
撮影装置の内蔵光源が、少なくとも第１の副増幅光の発光によって得られた撮影条件を示す情報を含む第２の予備発光を行うステップと、
受光手段を介して受光した第２の予備発光に含まれる撮影条件の情報に従い、増光用発光手段から発光される本発光の増幅率が設定されるステップと、
設定された撮影条件に従ってシャッタ動作を実行し、シャッタ動作に同期して、撮影装置の内蔵光源が本発光するステップと、
受光手段が撮影装置の内蔵光源の本発光を受光したとき、受光した本発光を第２の予備発光によって設定された増幅率に従って増幅し、シャッタ動作に同期して、増光用発光手段を介して、主増幅光を発光するステップと
からなる撮影用照明システムの動作方法。
【請求項２３】
内蔵光源を有する撮影装置のシャッタが押圧され、内蔵光源が第１の予備発光したときに、撮影装置の内蔵光源からの発光を受光し得る位置に着脱可能に取り付けられた受光手段を介して第１の予備発光を受光するステップと、
受光した第１の予備発光を増幅するステップと、
撮影装置に着脱可能に取り付けられた増光用発光手段を介して、第１の予備発光を増幅した第１の副増幅光を発光するステップと、
第１の副増幅光を用いて、撮影装置が撮影条件を特定するステップと、
撮影装置の内蔵光源が、第１の副増幅光の発光によって特定された撮影条件を示す情報を含み、かつ、撮影条件の再特定に利用される第２の予備発光を行うステップと、
受光手段を介して受光した第２の予備発光に含まれる撮影条件の情報に従い、増光用発光手段から発光される第２の副増幅光と、主増幅光の増幅率が設定されるステップと、
設定された増幅率に従って第２の予備発光を増幅し、増幅用発光手段を介して、第２の副増幅光を発光するステップと、
第２の副増幅光を用いて、撮影装置が撮影条件を再特定し、設定するステップと、
設定された撮影条件に従ってシャッタ動作を実行し、シャッタ動作に同期して、撮影装置の内蔵光源が本発光するステップと、
受光手段を介し撮影装置の内蔵光源の本発光を受光したとき、受光した本発光を第２の予備発光によって設定された増幅率に従って増幅し、シャッタ動作に同期して、増光用発光手段を介して、主増幅光を発光するステップと
からなる撮影用照明システムの動作方法。
【請求項２４】
撮影時に本発光することによって発光する内蔵光源を具備し、内蔵光源が撮影に伴うシャッタ動作に同期して発光する本発光以外に、少なくとも撮影に必要な光量測定を含む撮影条件の設定に利用される予備発光を行い、予備発光の発光によって得られた撮影条件の情報に応じた撮影設定で作動する撮影装置に用いられ、
内蔵光源から発せられる、少なくとも、本発光及び予備発光の一方を受光して検出する受光手段と、
少なくとも、受光手段が受光した予備発光及び本発光の光量の情報に基づいて、その光量を増幅又は減衰させ、予備発光及び本発光をそれぞれ副増幅光および主増幅光とする増幅処理を実行する増幅制御手段と、
増幅制御手段の増幅処理に従い、副増幅光、及び、撮影時に撮影領域を照明する主増幅光の少なくとも一方を発光し、副増幅光を発光したとき、副増幅光の発光を用いて、撮影装置に撮影設定を実行させる増光用発光手段と
を具備する撮影用照明増幅装置。
【請求項２５】
撮影用照明増幅装置の動作に必要な電力を供給する増幅装置用電源手段を具備する請求項１または２４に記載の撮影用照明増幅装置。
【請求項２６】
増幅装置用電源手段が撮影装置の補助用電源として撮影装置に接続されること、及び、撮影装置から、撮影用照明増幅装置の動作に必要な電力の供給を可能に、撮影装置に対して接続されること、の少なくとも一方を特徴とする請求項１、２４及び２５のいずれかに記載の撮影用照明増幅装置。
【請求項２７】
撮影装置が、外部との電力の出入力を行う電力出入力端子を具備し、
撮影用照明増幅装置が、撮影装置の電力出入力端子に接続される接続端子を具備する
請求項１、２４から２６のいずれかに記載の撮影用照明増幅装置。
【請求項２８】
増光用発光手段が、副増幅光発光後、主増幅光の発光前に発光して被撮影者の瞳孔を絞って眼底反射光の眼底色の写りこみを防止する赤目緩和光のための発光をする請求項１、２４から２７のいずれかに記載の撮影用照明増幅装置。
【請求項２９】
増光用発光手段が、主増幅光の発光前に、所定のパターンで発光して、被撮影者に対して、主増幅光の発光時期を事前報知する請求項１、２４から２８のいずれかに記載の撮影用照明増幅装置。
【請求項３０】
振動を検出する振動検出手段と、
音声出力手段と、
振動検出手段が振動を検出したとき、音声出力手段に報知音声を発生させる処理を実行する音声制御手段と
を具備する請求項１、２４から２９のいずれかに記載の撮影用照明増幅装置。
【請求項３１】
撮影装置が振動手段を有し、
振動検出手段が、少なくとも、撮影装置の振動手段による振動と、落下の衝撃による振動とを判別し、
振動制御手段が、振動検出手段によって検出された振動に応じて音声出力手段から放置音声を発生させる処理を実行する
ことを特徴とする請求項３０に記載の撮影用照明増幅装置。
【請求項３２】
振動を検出する振動検出手段と、
振動検出手段が振動を検出したとき、増光用発光手段を発光させる処理を実行する報知発光制御手段と
を具備する請求項１、２４から３１のいずれかに記載の撮影用照明増幅装置。
【請求項３３】
撮影装置が振動手段を有し、
振動検出手段が、少なくとも、撮影装置の振動手段による振動と、落下の衝撃による振動とを判別し、
報知発光制御手段が、振動検出手段によって検出された振動に応じて増光用発光手段を発行させる処理を実行する
ことを特徴とする請求項３２に記載の撮影用照明増幅装置。
【請求項３４】
音声出力手段から予め定められた信号音を発生させる信号音制御手段を具備する請求項３２または３３に記載の撮影用照明増幅装置。
【請求項３５】
増光用発光手段を予め定められたパターンで発光させる発光信号制御手段を具備する請求項１、２４から３４のいずれかに記載の撮影用照明増幅装置。
【請求項３６】
増光用発光手段の点灯及び消灯を制御するスイッチを有する点灯制御手段を具備する請求項１、２４から３５のいずれかに記載の撮影用照明増幅装置。
【請求項３７】
請求項１から１４、２４から３６のいずれかに記載の撮影用照明増幅用装置を備えたケースであって、
少なくとも、撮影装置のレンズ、及び、ディスプレイ手段が外部に露出した状態で、撮影装置を内部に収容する
ことを特徴とする上記のケース。
【発明の詳細な説明】
【技術分野】
【０００１】
本発明は、撮影用照明増幅装置、特に、内蔵光源を具備する撮影装置に用いられる撮影用照明増幅装置に関するものである。
【背景技術】
【０００２】
撮影装置としては、撮影機能付きの携帯電話、携帯端末、内蔵光源を具備したカメラ等、様々なものがある。
このような撮影装置で、夜間や薄暗い室内などで撮影機能を利用する場合、撮影対象に向けて撮影に必要な照明を行う必要があるが、撮影装置が、内蔵光源を具備しない携帯電話や携帯端末の場合、そのままでは撮影できない、という問題がある。
上記の問題に対し、例えば、特許文献１（特開２００８−２８６９３５号）や、特許文献２（特開２００５−０９４１８８号）に記載の外付けの着脱式照明装置が提案されている。
【０００３】
このような外付けの照明装置を用いる場合、照明装置の動作は、携帯端末等から発信される制御信号に基づいて制御されるので、使用前に予め、照明装置を制御するためのアプリケーションソフトをインストールしておく必要があり、照明装置のユーザが、各自でインストールを実行しなければならず、面倒である上、携帯端末等の限られた記憶領域に、アプリケーションソフトのための領域を確保しなければならない、という問題があった。
【０００４】
一方、携帯電話、携帯端末、携帯性を重要視したコンパクトカメラのような撮影装置には、スピードライトやフラッシュとして機能する内蔵光源を具備するものがある。
このような撮影装置では、シャッタ動作に対応して内蔵光源を発光させることにより、光量不足の環境での撮影を可能としている。
しかしながら、このような内蔵光源は、携帯性を損なわないようにするため、バッテリーや発光手段の大型化ができず、高出力、高機能なものを採用できなかった。
【０００５】
このため、内蔵光源を用いた撮影は、例えば、撮影対象との距離を１〜２メートル程度のような近距離としなければならず、使用環境が極めて限定され、ユーザの撮影ニーズに応えられない、というという問題があった。
また、従来の内蔵光源は、上記した通り、発光手段としては高性能なものを採用することができなかったので、その発光によって効果的に照明し得る撮影領域内の範囲に偏りが生じ、ユーザが思うような撮影結果を得られない、という問題もあった。
【０００６】
上記の問題に対し、内蔵光源を具備するカメラ等では、外付けの照明装置（例えば、スピードライトやフラッシュ）の接続を前提として、制御信号の送受信を行うための手段を介して、高出力、高機能の照明装置を接続可能としたものもある。
しかしながら、このような接続手段は、比較的高機能なカメラ等には設けられているものの、携帯性を優先したような機種や、携帯端末等には設けられていない。
このため、上記のような接続手段を有しない撮影装置では、一般的に、外付けの照明装置を増設することはできない。
【０００７】
また、外付けの照明装置を接続する手段を有しない、内蔵光源を具備する撮影装置に対し、外付けの照明装置を増設するものとしては、特許文献３（特開平１０−３０１１７４号）がある。
この照明装置は、カメラの内蔵光源の発光をトリガーとして、外部ストロボを発光させるものであり、撮影装置に、外付けの照明装置との接続手段を用いることなく、高出力の発光が可能になる。
【０００８】
しかしながら、この照明装置では、カメラの内部光源の発光をトリガーとして、外部ストロボを制御するに過ぎないため、この照明装置を用いた場合、カメラの撮影条件の設定は、内蔵光源の発光に応じたものであり、外部ストロボによる発光強度が、カメラの撮影条件の設定に反映されることがない。
このため、この特許文献３に記載の照明装置を用いて撮影すると、内蔵光源用の撮影設定で、外部ストロボの発光を用いて撮影することになるため、光量が多すぎるなどの不都合が生じ、適切な撮影ができない、という問題があった。
【０００９】
また、撮影装置には、撮影用の本発光を行う内蔵光源から、本発光の前に撮影領域に向けて予備発光を行い、予備発光によって得られた撮影環境に関する情報に基づいて撮影装置の撮影条件を設定し、続いて、撮影装置のシャッタ動作に同期して本発光を実行するものがある。
【００１０】
この予備発光によって得られる撮影条件としては、例えば、合焦点距離、ＩＳＯ感度、レンズ絞り値、シャッタ速度等が挙げられる。
このような撮影装置では、予備発光を行うことによって、内蔵光源による本発光下での実際の撮影条件に則した設定でシャッタ動作を実行するので、適切な撮影が可能になる。
上記のような予備発光機能を備えた撮影装置には、外付けの照明装置に対して、制御信号を出力するための手段を有しないものも多く、このような撮影装置の場合、外付けの照明装置を利用して、最適な撮影を行うことはできなかった。
【先行技術文献】
【特許文献】
【００１１】
【特許文献１】特開２００８−２８６９３５号公報
【特許文献２】特開２００５−０９４１８８号公報
【特許文献３】特開平１０−３０１１７４号公報
【発明の概要】
【発明が解決しようとする課題】
【００１２】
本発明は、上記の問題を解決するためになされたものであって、内蔵光源を具備した撮影装置であって、外付けの照明装置に対し、外付けの照明装置の動作を制御する制御信号を出入力する手段を具備しない撮影装置で、内蔵光源による発光より増幅された照明の下で撮影を可能にすると共に、増幅された照明に応じた撮影条件の設定に基づいて、撮影装置のシャッタ動作を実行できるようにする撮影用照明増幅装置、撮影用照明増幅システム、撮影用照明システムの動作方法、及び、撮影用照明増幅装置を備えたケースを提供することを目的とする。
【課題を解決するための手段】
【００１３】
上記目的を達成するため、本発明の第１発明に係る撮影用照明増幅装置は、
撮影時に本発光することによって発光する内蔵光源を具備し、内蔵光源が撮影に伴うシャッタ動作に同期して発光する本発光以外に、撮影条件の設定に利用される予備発光を行い、予備発光の発光によって得られた撮影条件の情報に応じた撮影設定で作動する撮影装置に用いられ、
内蔵光源から発せられる光を受光して検出する受光手段と、
受光手段が受光した予備発光及び本発光の増幅処理を実行する制御手段と、
制御手段の増幅処理により、受光手段で受光した予備発光を増幅させた副増幅光と本発光を増幅させた主増幅光とを発光し、副増幅光を発光したとき、副増幅光の発光を用いて、撮影装置に撮影設定を実行させる増光用発光手段と
を具備することを特徴とする。
【００１４】
また、第２発明に係る撮影用照明増幅装置は、上記の発明において、撮影装置に着脱可能に構成されることを特徴とする。
【００１５】
また、第３発明に係る撮影用照明増幅装置は、上記の発明において、撮影装置の内蔵光源からの発光が、撮影領域に対して遮断されることを特徴とする。
【００１６】
また、第４発明に係る撮影用照明増幅装置は、上記の発明において、受光手段が、撮影装置の内蔵光源を覆うことを特徴とする。
【００１７】
また、第５発明に係る撮影用照明増幅装置は、上記の発明において、制御手段が、受光手段で検出された光の発光強度、発光時間、発光波形の群から選ばれる少なくとも１つの情報に基づいて、増光用発光手段から発光される光の発光強度、発光時間、発光波形の群から選ばれる少なくとも１つを制御することを特徴とする。
【００１８】
また、第６発明に係る撮影用照明増幅装置は、上記の発明において、増光用発光手段から発光される副増幅光によって撮影装置の撮影設定がなされることにより、副増幅光によって撮影装置のシャッタ動作の時期が設定され、増光用発光手段から発光される本発光の時期が、撮影設定に従って実行される撮影装置のシャッタの動作の時期と同期することを特徴とする。
【００１９】
また、第７発明に係る撮影用照明増幅装置は、上記の発明において、本発光の増幅率が、予備発光の増幅率と同一であることを特徴とする。
【００２０】
また、第８発明に係る撮影用照明増幅装置は、上記の発明において、
制御手段が、複数段の予備発光及び本発光の増幅率を切り換える増幅率切換手段を有し、
増光用発光手段が、使用する増幅率に応じて、異なる増幅率で発光する
ことを特徴とする。
【００２１】
また、第９発明に係る撮影用照明増幅装置は、上記発明において、複数段の増幅率が、撮影対象との距離に応じて設定され、遠距離の増幅率が、近距離の増幅率より高く設定されることを特徴とする。
【００２２】
また、第１０発明に係る撮影用照明増幅装置は、上記発明において、増幅率切換手段が利用者によって切り換えられることを特徴とする。
【００２３】
また、第１１発明に係る撮影用照明増幅装置は、上記発明において、予備発光の発光によって得られる撮影条件の情報が、合焦点距離、ＩＳＯ感度、レンズ絞り値、シャッタ速度の群から選ばれる少なくとも１つの情報であることを特徴とする。
【００２４】
また、第１２発明に係る撮影用照明増幅装置は、上記発明において、撮影装置が携帯端末であって、携帯端末に用いられることを特徴とする。
【００２５】
また、第１３発明に係る撮影用照明増幅装置は、上記発明において、主増幅光が、撮影装置のシャッタ動作が開始前から点灯することを特徴とする。
【００２６】
また、第１４発明に係る撮影用照明増幅装置は、上記発明において、副増幅光、及び、主増幅光が連続して点灯することを特徴とする。
【００２７】
また、第１５発明に係る撮影用照明増幅装置は、上記発明において、
撮影装置の少なくとも一部を、撮影装置の内蔵光源を内部に収容し、かつ、撮影装置のレンズが外部に露出した状態で挿入し得る開口を有し、撮影装置に着脱自在に装着されるケーシングと、
撮影装置に装着されるケーシングの内部の、内蔵光源から発光される光を受光する位置に設けられ、内蔵光源から発光される光を受光する受光手段と、
撮影装置に装着されるケーシングの、撮影領域に向けて発光し得る位置に設けられ、受光手段で受光した光を増幅して発光する増光用発光手段と
を具備することを特徴とする。
【００２８】
また、上記目的を達成するため、本発明の第１６発明に係る撮影システムは、
撮影時に本発光することによって撮影領域を照明する内蔵光源を具備し、内蔵光源が撮影に伴うシャッタ動作に同期して発光する本発光以外に、撮影領域に対して撮影条件の設定に利用される予備発光を行い、予備発光の発光によって得られた撮影条件の情報に応じた撮影設定で作動する撮影装置と、
撮影装置に着脱自在に設けられ、内蔵光源から発せられる光を受光して検出する受光手段と、受光手段が受光した予備発光及び本発光の増幅処理を実行する制御手段と、制御手段の増幅処理により、受光手段で受光した予備発光を増幅させた副増幅光と本発光を増幅させた主増幅光を発光し、副増幅光を発光したとき、副増幅光の発光によって、撮影装置に撮影設定を実行させる増光用発光手段とを具備する撮影用照明増幅装置と
からなることを特徴とする。
【００２９】
また、第１７発明に係る撮影システムは、上記の発明において、
撮影装置の内蔵光源が、撮影条件の設定に利用される第１の予備発光と、第１の予備発光によって得られた撮影条件の設定に基づいた本発光の増幅率の設定に関する情報を含む第２の予備発光と、設定された撮影条件に従い、撮影に伴うシャッタ動作に同期して発光する本発光を行い、
撮影用照明増幅装置の制御手段が、受光手段が受光した第１の予備発光の増幅処理を実行し、受光手段が受光した第２の予備発光の増幅率の設定に従い、本発光の増幅処理を実行し、
増光用発光手段が、制御手段の増幅処理により、第１の副増幅光を発光し、第２の予備発光の増幅率に従った主増幅光を発光する
ことを特徴とする。
【００３０】
また、第１８発明に係る撮影システムは、上記の発明において、
撮影装置の内蔵光源が、撮影条件を設定するための第１の予備発光を行い、第１の副増幅光の発光によって設定された撮影条件に基づき、本発光の増幅率の設定に関する情報を含み、かつ、撮影条件の再設定に利用される第２の予備発光を行い、第２の予備発光によって得られた撮影条件の情報に応じて再設定された撮影設定でシャッタ動作及び本発光を行い、
撮影用照明増幅装置の制御手段が、受光手段が受光した第１の予備発光の増幅処理を実行し、受光手段が受光した第２の予備発光の増幅率の設定に従い、第２の予備発光の増幅処理をし、受光手段が受光した第２の予備発光の増幅率の設定に従い、本発光の増幅処理をし、
増光用発光手段が、制御手段の増幅処理により、第１の副増幅光を発光し、第２の予備発光に含まれる増幅率に応じて増幅された第２の副増幅光を発光し、第２の予備発光に含まれる増幅率に応じて増幅された主増幅光を発光する
ことを特徴とする。
【００３１】
また、第１９発明に係る撮影システムは、上記の発明において、第１の予備発光で設定される撮影条件が撮影対象との距離を示す情報であり、第２の予備発光に含まれる撮影対象との距離を示す情報に従って、少なくとも本発光の増幅率が設定されることを特徴とする。
【００３２】
また、第２０発明に係る撮影システムは、上記の発明において、
撮影装置が、撮影領域に向けて発光する内蔵光源を具備し、
撮影用照明増幅装置が、
撮影装置の内蔵光源を内部に収容し、撮影装置のレンズが外部に露出した状態で撮影装置の少なくとも一部を挿入し得る開口を有し、撮影装置に着脱自在に装着されるケーシングと、
撮影装置に装着されるケーシングの内部の、内蔵光源から発光される光を受光する位置に設けられ、内蔵光源から発光される光を受光する受光手段と、
撮影装置に装着されるケーシングの、撮影領域に向けて発光し得る位置に設けられ、受光手段で受光した光を増幅して発光する増光用発光手段とを具備する
ことを特徴とする。
【００３３】
また、上記目的を達成するため、本発明の第２１発明に係る撮影用照明システムの動作方法は、
内蔵光源を有する撮影装置のシャッタが押圧され、内蔵光源が予備発光したときに、撮影装置の内蔵光源からの発光を受光し得る位置に着脱可能に取り付けられた受光手段を介して予備発光を受光するステップと、
受光した予備発光を増幅するステップと、
撮影装置の着脱可能に取り付けられた増光用発光手段を介して、予備発光を増幅した副増幅光を発光するステップと、
副増幅光の発光を用いて、撮影装置が撮影条件の設定を実行するステップと、
設定された撮影条件に従ってシャッタ動作を実行し、シャッタ動作と同期して、撮影装置の内蔵光源が本発光するステップと、
受光手段が撮影装置の内蔵光源の本発光を受光したとき、受光した本発光を増幅し、シャッタ動作に同期して、増光用発光手段を介して、本発光を増幅した主増幅光を発光するステップと
からなることを特徴とする。
【００３４】
また、上記目的を達成するため、本発明の第２２発明に係る撮影用照明システムの動作方法は、
内蔵光源を有する撮影装置のシャッタが押圧され、内蔵光源が第１の予備発光したときに、撮影装置の内蔵光源からの発光を受光し得る位置に着脱可能に取り付けられた受光手段を介して第１の予備発光を受光するステップと、
受光した第１の予備発光を増幅するステップと、
撮影装置に着脱可能に取り付けられた増光用発光手段を介して、第１の予備発光を増幅した第１の副増幅光を発光するステップと、
第１の副増幅光の発光を用いて、撮影装置が撮影条件を設定するステップと、
撮影装置の内蔵光源が、少なくとも第１の副増幅光の発光によって得られた撮影条件を示す情報を含む第２の予備発光を行うステップと、
受光手段を介して受光した第２の予備発光に含まれる撮影条件の情報に従い、増光用発光手段から発光される本発光の増幅率が設定されるステップと、
設定された撮影条件に従ってシャッタ動作を実行し、シャッタ動作に同期して、撮影装置の内蔵光源が本発光するステップと、
受光手段が撮影装置の内蔵光源の本発光を受光したとき、受光した本発光を第２の予備発光によって設定された増幅率に従って増幅し、シャッタ動作に同期して、増光用発光手段を介して、主増幅光を発光するステップと
からなることを特徴とする。
【００３５】
また、上記目的を達成するため、本発明の第２３発明に係る撮影用照明システムの動作方法は、
内蔵光源を有する撮影装置のシャッタが押圧され、内蔵光源が第１の予備発光したときに、撮影装置の内蔵光源からの発光を受光し得る位置に着脱可能に取り付けられた受光手段を介して第１の予備発光を受光するステップと、
受光した第１の予備発光を増幅するステップと、
撮影装置に着脱可能に取り付けられた増光用発光手段を介して、第１の予備発光を増幅した第１の副増幅光を発光するステップと、
第１の副増幅光を用いて、撮影装置が撮影条件を特定するステップと、
撮影装置の内蔵光源が、第１の副増幅光の発光によって特定された撮影条件を示す情報を含み、かつ、撮影条件の再特定に利用される第２の予備発光を行うステップと、
受光手段を介して受光した第２の予備発光に含まれる撮影条件の情報に従い、増光用発光手段から発光される第２の副増幅光と、主増幅光の増幅率が設定されるステップと、
設定された増幅率に従って第２の予備発光を増幅し、増幅用発光手段を介して、第２の副増幅光を発光するステップと、
第２の副増幅光を用いて、撮影装置が撮影条件を再特定し、設定するステップと、
設定された撮影条件に従ってシャッタ動作を実行し、シャッタ動作に同期して、撮影装置の内蔵光源が本発光するステップと、
受光手段を介し撮影装置の内蔵光源の本発光を受光したとき、受光した本発光を第２の予備発光によって設定された増幅率に従って増幅し、シャッタ動作に同期して、増光用発光手段を介して、主増幅光を発光するステップと
からなることを特徴とする。
【００３６】
また、上記目的を達成するため、本発明の第２４発明に係る撮影用照明増幅装置は、
撮影時に本発光することによって発光する内蔵光源を具備し、内蔵光源が撮影に伴うシャッタ動作に同期して発光する本発光以外に、少なくとも撮影に必要な光量測定を含む撮影条件の設定に利用される予備発光を行い、予備発光の発光によって得られた撮影条件の情報に応じた撮影設定で作動する撮影装置に用いられ、
内蔵光源から発せられる、少なくとも、本発光及び予備発光の一方を受光して検出する受光手段と、
少なくとも、受光手段が受光した予備発光及び本発光の光量の情報に基づいて、その光量を増幅又は減衰させ、予備発光及び本発光をそれぞれ副増幅光および主増幅光とする増幅処理を実行する増幅制御手段と、
増幅制御手段の増幅処理に従い、副増幅光、及び、撮影時に撮影領域を照明する主増幅光の少なくとも一方を発光し、副増幅光を発光したとき、副増幅光の発光を用いて、撮影装置に撮影設定を実行させる増光用発光手段と
を具備することを特徴とする。
【００３７】
また、第２５発明に係る撮影用照明増幅装置は、上記の発明において、撮影用照明増幅装置の動作に必要な電力を供給する増幅装置用電源手段を具備することを特徴とする。
【００３８】
また、第２６発明に係る撮影用照明増幅装置は、上記の発明において、
増幅装置用電源手段が撮影装置の補助用電源として撮影装置に接続されること、及び、撮影装置から、撮影用照明増幅装置の動作に必要な電力の供給を可能に、撮影装置に対して接続されること、の少なくとも一方を特徴とする。
【００３９】
また、第２７発明に係る撮影用照明増幅装置は、上記の発明において、
撮影装置が、外部との電力の出入力を行う電力出入力端子を具備し、
撮影用照明増幅装置が、撮影装置の電力出入力端子に接続される接続端子を具備する
ことを特徴とする。
【００４０】
また、第２８発明に係る撮影用照明増幅装置は、上記の発明において、
増光用発光手段が、副増幅光発光後、主増幅光の発光前に発光して被撮影者の瞳孔を絞って眼底反射光の眼底色の写りこみを防止する赤目緩和光のための発光をする
ことを特徴とする。
【００４１】
また、第２９発明に係る撮影用照明増幅装置は、上記の発明において、
増光用発光手段が、主増幅光の発光前に、所定のパターンで発光して、被撮影者に対して、主増幅光の発光時期を事前報知する
ことを特徴とする。
【００４２】
また、第３０発明に係る撮影用照明増幅装置は、上記の発明において、
振動を検出する振動検出手段と、
音声出力手段と、
振動検出手段が振動を検出したとき、音声出力手段に報知音声を発生させる処理を実行する音声制御手段と
を具備することを特徴とする。
【００４３】
また、第３１発明に係る撮影用照明増幅装置は、上記の発明において、
撮影装置が振動手段を有し、
振動検出手段が、少なくとも、撮影装置の振動手段による振動と、落下の衝撃による振動とを判別し、
振動制御手段が、振動検出手段によって検出された振動に応じて音声出力手段から放置音声を発生させる処理を実行する
ことを特徴とする。
【００４４】
また、第３２発明に係る撮影用照明増幅装置は、上記の発明において、
振動を検出する振動検出手段と、
振動検出手段が振動を検出したとき、増光用発光手段を発光させる処理を実行する報知発光制御手段と
を具備することを特徴とする。
【００４５】
また、第３３発明に係る撮影用照明増幅装置は、上記の発明において、
撮影装置が振動手段を有し、
振動検出手段が、少なくとも、撮影装置の振動手段による振動と、落下の衝撃による振動とを判別し、
報知発光制御手段が、振動検出手段によって検出された振動に応じて増光用発光手段を発行させる処理を実行する
ことを特徴とする。
【００４６】
また、第３４発明に係る撮影用照明増幅装置は、上記の発明において、
音声出力手段から予め定められた信号音を発生させる信号音制御手段
を具備することを特徴とする。
【００４７】
また、第３５発明に係る撮影用照明増幅装置は、上記の発明において、
増光用発光手段を予め定められたパターンで発光させる発光信号制御手段
を具備することを特徴とする。
【００４８】
また、第３６発明に係る撮影用照明増幅装置は、上記の発明において、
増光用発光手段の点灯及び消灯を制御するスイッチを有する点灯制御手段
を具備することを特徴とする。
【００４９】
また、上記目的を達成するため、本発明の第３７発明に係る撮影用照明増幅装置を備えたケースは、
少なくとも、撮影装置のレンズ、及び、ディスプレイ手段が外部に露出した状態で、撮影装置を内部に収容する
ことを特徴とする。
【発明の効果】
【００５０】
第１発明によれば、撮影装置の内蔵光源の予備発光を増幅した副増幅光によって、撮影装置の撮影条件の設定がなされ、設定される撮影条件を、主増幅光に適したものとすることができ、撮影装置のシャッタ動作の実行に応じて、主増幅光を発光し、増幅された照明に応じた撮影条件の設定で撮影が実行されるという作用効果を奏する。
【００５１】
また、第２発明によれば、撮影用照明増幅装置を撮影装置に必要なときに装着できるようになり、便利である。
【００５２】
また、第３発明によれば、内蔵光源からの発光による影の発生を防止できる。
【００５３】
また、第４発明によれば、内蔵光源の発光の強度、種類、パターン等を正確に解析できるようになり、内蔵光源の強度等を正確に増幅処理に反映させることが可能になる。
【００５４】
また、第５発明によれば、内蔵光源の発光に応じて、増光用発光手段の発光を制御できるようになる。
【００５５】
また、第６発明によれば、副増幅光により、主増幅光に適した撮影条件が設定され、主増幅光で適切な撮影が可能になる。
【００５６】
また、第７発明によれば、主増幅光が、予備発光の増幅率に基づいて決定されるので、適切な設定に基づいた撮影が可能になる。
【００５７】
また、第８発明によれば、撮影環境に応じて、複数の強度の増幅光を使い分けることができるようになる。
【００５８】
また、第９発明によれば、撮影対象との距離に応じて適切な増幅率の増幅光を選択できるようになる。
【００５９】
また、第１０発明によれば、利用者の判断で、適切な増幅率の増幅光を選択できるようになる。
【００６０】
また、第１１発明によれば、撮影条件に応じた撮影設定を、撮影装置に実行させることができるようになる。
【００６１】
また、第１２発明によれば、携帯端末で利用できるようになる。
【００６２】
また、第１３発明によれば、例えば、シャッタ動作の前に、本発光の下で撮影多少を確認することが可能になるなど、多様なニーズに応じることができるようになる。
【００６３】
また、第１４発明によれば、撮影対象が人物の場合、予備発光を本発光と勘違いして、本発光時には姿勢や表情を崩すことを防止でき、撮影の失敗を減らすことができる。
【００６４】
また、第１５発明によれば、撮影装置に簡単に着脱できるようになり、ユーザの利便性が向上する。
【００６５】
また、第１６発明によれば、撮影装置の内蔵光源の予備発光を増幅した副増幅光によって、撮影装置の撮影条件の設定がなされ、設定される撮影条件を、主増幅光に適したものとすることができ、撮影装置のシャッタ動作の実行に応じて、主増幅光を発光し、増幅された照明に応じた撮影条件の設定で撮影が実行されるという作用効果を奏する。
【００６６】
また、第１７発明によれば、撮影装置の内蔵光源の第１の予備発光によって得られた撮影条件の設定に基づき、第２の予備発光の増幅率を設定し、撮影用照明増幅装置の増光用発光手段が、撮影装置の内蔵光源の第２の予備発光の増幅率に基づいた増幅率で本発光するようになって、撮影環境に応じた増幅率の増幅光によって撮影ができるようになる。
【００６７】
また、第１８発明によれば、撮影装置の内蔵光源の第１の予備発光によって得られた撮影条件の基本的な設定に基づいた増幅率で増幅された第２の予備発光を用いて、撮影装置の撮影条件の設定を行うので、撮影条件の種類を幅広くすることが可能になる。
【００６８】
また、第１９発明によれば、撮影対象との距離に応じ、その距離に適した増幅率に自動で増幅された照明の下で、撮影を実行することができるようになる。
【００６９】
また、第２０発明によれば、撮影用照明増幅装置を、撮影装置に簡単に着脱できるようになり、ユーザの利便性が向上する。
【００７０】
また、第２１発明によれば、撮影装置の内蔵光源の予備発光を増幅した副増幅光によって、撮影装置の撮影条件の設定がなされ、設定される撮影条件を、主増幅光に適したものとすることができ、撮影装置のシャッタ動作の実行に応じて、主増幅光を発光し、増幅された照明に応じた撮影条件の設定で撮影が実行されるという作用効果を奏する。
【００７１】
また、第２２発明によれば、さらに、撮影装置の内蔵光源の第１の予備発光によって得られた撮影条件の設定に基づき、第２の予備発光の増幅率を設定し、撮影用照明増幅装置の増光用発光手段が、撮影装置の内蔵光源の第２の予備発光の増幅率に基づいた増幅率で本発光するようになって、撮影環境に応じた増幅率の増幅光によって撮影ができるようになる。
【００７２】
また、第２３発明によれば、さらに、撮影装置の内蔵光源の第１の予備発光によって得られた撮影条件の基本的な設定に基づいた増幅率で増幅された第２の予備発光を用いて、撮影装置の撮影条件の設定を行うので、撮影条件の種類を幅広くすることが可能になる。
【００７３】
第２４発明によれば、撮影装置の内蔵光源の予備発光を増幅した副増幅光によって、撮影装置の撮影条件の設定がなされ、設定される撮影条件を、主増幅光に適したものとすることができ、撮影装置のシャッタ動作の実行に応じて、主増幅光を発光し、増幅された照明に応じた撮影条件の設定で撮影が実行されるという作用効果を奏する。
【００７４】
第２５発明によれば、撮影用照明増幅装置の動作を撮影装置に備えられるバッテリー等の電源手段に依存しないため、撮影装置の電源手段に充電された電力を撮影装置の動作にのみ使用できるようになり、撮影用照明増幅装置の動作により、撮影装置の作動時間を短縮することがない、という作用効果を奏する。
【００７５】
第２６発明によれば、撮影用照明増幅装置用の電力を撮影装置用の電力に転用することや、反対に、撮影装置用の電力を撮影用照明増幅装置用の電力に転用することが可能になり、バッテリー等に蓄電された電力を効率的に運用できるようになる、という作用効果を奏する。
【００７６】
第２７発明によれば、撮影装置と撮影用照明増幅装置との間で、各装置の動作に必要な電力の融通ができるようになり、撮影用照明増幅装置を備えた撮影装置の効率的な運用が可能になる、という作用効果を奏する。
【００７７】
第２８発明によれば、人物の撮影時に、赤目現象を防止するに十分な光量で、被撮影者に光線を照射できるので、赤目現象が発生することを効果的に防止することができるようになる。
【００７８】
第２９発明によれば、被撮影者が、発光パターンによってシャッタが切られる時期を認識できるようになるため、シャッタ時に被撮影者が動いて、写真がぶれることを効果的に防止できる、という作用効果を奏する。
【００７９】
第３０発明によれば、撮影装置が、例えば、着信時に振動して着信を知らせる通信機能を有する場合、撮影装置への着信による振動が検出されたときに、撮影用照明増幅装置の音声出力手段が報知音声を発するため、利用者が着信に気づきやすくなり、また、撮影用照明増幅装置を備えた撮影装置を不用意に落下させたときに、撮影用照明増幅装置の放置音声により、利用者が落下に気づきやすい、という作用効果を奏する。
【００８０】
第３１発明によれば、第３０発明の作用効果に加え、例えば、着信時の振動より、落下を知らせるための振動を強く設定したり、両振動のパターンを変えたりすることにより、利用者がより正確に落下を認識できるようになる、という作用効果を奏する。
【００８１】
第３２発明によれば、振動が発生したことを報知発光によって認識できることができるようになり、振動の発生を利用者がより認識しやすくなり、振動の原因に対する対応を確実に取れるようになる、という作用効果を奏する。
【００８２】
第３３発明によれば、撮影装置の振動を、撮影用照明増幅装置による報知発光によっても、利用者が確実に認識できるようになる、という作用効果を奏する。
【００８３】
第３４発明によれば、例えば、緊急時等に、利用者の操作や、通信回線等を介した外部からの入力に応じて、サイレンを鳴らすことができるようになる。
【００８４】
第３５発明によれば、例えば、撮影用照明増幅装置を備えた撮影装置の存在を光によって周囲に知らせることが可能になり、例えば、夜間の歩行時の安全確保や、遭難時の位置確認に使用することができるようになる。
【００８５】
第３６発明によれば、撮影用照明増幅装置を備えた撮影装置を、例えば、懐中電灯のような照明器具として利用できるようになる。
【００８６】
例えば、スマートフォンや、携帯端末といったレンズ及びディスプレイ手段を備えた撮影装置は、装飾や保護目的でケースに収納した状態で使用されることが多いが、第３７発明によれば、上記した様々な作用効果を奏する撮影用照明増幅装置をケースを介して供することができるようになる。
【図面の簡単な説明】
【００８７】
【図１】図１は本発明に係る撮影用照明増幅装置の実施例１の使用状態を示す正面図である。
【図２】図２は図１の背面図である。
【図３】図３は図１に示した撮影用照明増幅装置の装着方法を示す正面図である。
【図４】図４は図１に示した撮影用照明増幅装置の装着方法を示す背面図である。
【図５】図５は図１に示した撮影用照明増幅装置の動作を示すフローチャートである。
【図６】図６は本発明に係る撮影用照明増幅装置の実施例２の使用状態を示す正面図である。
【図７】図７は図６の背面図である。
【図８】図８は図６に示した撮影用照明増幅装置の装着方法を示す正面図である。
【図９】図９は図６に示した撮影用照明増幅装置の装着方法を示す背面図である。
【図１０】図１０は図６に示した撮影用照明増幅装置の動作を示すフローチャートである。
【図１１】図１１は、本発明に係る撮影用照明増幅装置の実施例３の動作を示すフローチャートである。
【図１２】図１２は、本発明に係る撮影用照明増幅装置の実施例４、及び、この撮影用照明増幅装置が取り付けられる撮影装置の主要構成を示すブロック図である。
【図１３】図１３は、実施例４を備えたケースの平面図である。
【図１４】図１４は、図１３の背面図である。
【図１５】図１５は、図１３の上面図である。
【図１６】図１６は、図１３の底面図である。
【図１７】図１７は、図１３のＡ−Ａ方向から見た側面図である。
【図１８】図１８は、図１３のＢ−Ｂ方向から見た側面図である。
【図１９】図１９は、実施例４を用いたケースにおける電源選択動作を説明するフローチャートである。
【発明を実施するための形態】
【００８８】
本発明は、内蔵光源を有する撮影装置に対し、撮影用照明増幅装置を装着し、撮影用照明増幅装置から撮影条件の設定に用いられる副増幅光を発光させることによって、撮影装置に撮影設定を実行させることにより、増幅光に対して適切な撮影条件で撮影を実行できるようにした。
【実施例１】
【００８９】
図１から図４に基づき、実施例１について説明する。
図中、１は撮影装置、１０はレンズ、１１は内蔵光源、１２は液晶タッチパネル、１３０〜１３２は操作ボタン、１３３はスピーカ、２は本発明に係る撮影用照明増幅装置、２０はケーシング、２１は受光手段、２２は増光用発光手段である。
【００９０】
撮影装置１は、いわゆるスマートフォンであり、その正面側に、図３に示したように、撮影用のレンズ１０と、内蔵光源１１を有し、その背面側に、図４に示したように、液晶タッチパネル１２、操作ボタン１３０、１３１、１３２、スピーカ１３３を有する。
なお、撮影装置１において、本発明と直接関連のない機能については、説明を省略する。
【００９１】
撮影装置１は、携帯端末及び携帯電話として機能し得るものであり、液晶タッチパネル１２には、撮影装置１の操作に必要な情報、及び、レンズ１０から取り込まれた画像、映像等が表示される。
内蔵光源１１は、撮影装置１に内蔵された電源を用いて発光する小型のフラッシュである。
この内蔵光源１１には、例えば、ＬＥＤ発光素子が用いられる。
この内蔵光源１１は、近距離撮影時に有効な撮影用の発光を行うものであり、予備発光と本発光を行う。
【００９２】
この予備発光及び本発光は、液晶タッチパネル１２の表示に基づき、液晶タッチパネル１２及び各種操作ボタン操作ボタン１３０、１３１、１３２を操作して、シャッタ動作を実行したときに、シャッタ動作に伴って実行される。
予備発光は、撮影条件の設定のために、撮影に先立って撮影領域に対して発光を行い、その予備発光から得られた画像情報に基づいて撮影条件を特定するためのものである。
【００９３】
この予備発光によって、各種撮影条件、例えば、合焦点距離、ＩＳＯ感度、レンズ絞り値、シャッタ速度等が特定され、設定される。
なお、この予備発光は、実際のシャッタ動作を伴わない半押しで発光させることもできる。
本発光は、シャッタ動作に同期して発光するものである。
【００９４】
撮影用照明増幅装置２は、ケーシング２０、受光手段２１、増光用発光手段２２、ケーシング２０内部に収容され、図示しない制御手段及び内蔵電源とからなる。
この撮影用照明増幅装置２は、図３及び４に示したように、撮影装置１に着脱自在に装着される。
【００９５】
ケーシング２０は、図１に示したように、撮影装置１の内蔵光源１１側の一端を内部に収容し得る開口を有し、内蔵光源１１からの発光を、撮影領域等の外部に対して遮断する。
また、ケーシング２０の正面側の開口縁は、撮影装置１に装着したときに、撮影装置１のレンズ１０を塞がない形状になっている。
【００９６】
受光手段２１は、ケーシング２０を撮影装置１に装着したときに、撮影装置１の内蔵光源１１の発光面を覆うようにケーシング２０内面に設けられ、内蔵光源１１から発光される光を受光する。
【００９７】
増光用発光手段２２は、ケーシングの正面側外面に、撮影領域に向けて発光しうるよう設けられ、受光手段２１で受光した光より増幅された増幅光を発光する。
【００９８】
図示しない制御手段は、受光手段２１が予備発光又は本発光を受光したときに、増光用発光手段２２に、それぞれ、予備発光又は本発光の増幅処理を実行し、予備発光及び本発光に併せて、増幅光の発光を制御するものである。
【００９９】
この増幅制御のため、この制御手段は、受光手段２１で検出された光の発光強度、発光時間、発光波形のうち、少なくとも１つの情報を解析し、解析された情報に基づいて、増光用発光手段２２から発光される増幅光の発光強度、発光時間、発光波形を制御し、予備発光及び本発光を増幅する。
【０１００】
図示しない内蔵電源は、ケーシング２０内部に出し入れ可能に設けられ、撮影用照明増幅装置２の作動、及び、作動の制御に必要な電力を供給するものであり、交換又は充電可能な電池である。
また、この撮影用照明増幅装置２の起動スイッチ（図示せず）は、ケーシング２０内面に、撮影装置１に装着されたときに接続され、撮影装置１から取り外したときに切断されるよう設けられ、撮影用照明増幅装置２の機能は、着脱操作に伴って自動的に起動及び終了するようになっている。
【０１０１】
次に、図５に基づき、上記実施例の使用方法及び動作について説明する。
なお、以下の説明において、シャッタ押圧操作とは、ユーザが撮影のためにシャッタを切る操作を示し、シャッタ動作とは、シャッタ押圧操作によって、撮影装置１内で実行される撮影処理の動作を示すものである。
【０１０２】
この撮影用照明増幅装置２を図１に示したように、撮影装置１に装着する（Ｓ３０１）。
この装着により、撮影用照明増幅装置２が起動する（Ｓ３０２）。
次に、液晶タッチパネル１２及び操作ボタン１３０〜１３２が操作により、撮影装置１のシャッタ押圧操作がなされると（Ｓ３０３）、撮影装置１の内蔵光源１１が予備発光する（Ｓ３０４）。
【０１０３】
次に、受光手段２１が予備発光を受光する（Ｓ３０５）と、受光した予備発光を増幅処理する（Ｓ３０６）。
次に、増幅処理に従い、増光用発光手段２２が副増幅光を発光する（Ｓ３０７）。
撮影装置１の予備発光の発光に伴い、撮影装置１では、撮影条件の設定が実行されるが、この撮影条件の設定を、副増幅光の下で実行する（Ｓ３０８）。
なお、上記の予備発光の発光から、副増幅光の発光までのタイムラグは、撮影装置１の撮影条件の設定のタイミングに影響を及ぼさない程度に僅少であり、予備発光に伴って実行される撮影条件の設定時に、副増幅光は発光することになる。
【０１０４】
次に、設定された撮影条件に従って、シャッタ動作が実行され（Ｓ３０９）、シャッタ動作と同期して、内蔵光源１１が本発光する（Ｓ３１０）。
次に、受光手段２１が本発光を受光すると、受光した本発光を増幅処理する（Ｓ３１１）。
【０１０５】
次に、増幅処理に従い、シャッタ動作と同期して、増光用発光手段２２が主増幅光を発光する（Ｓ３１２）。
なお、予備発光と同様に、上記の本発光の発光から主増幅光の発光までのタイムラグは、撮影の時期に影響を及ぼさない程度の僅少であり、主増幅光の発光は、実質的にシャッタ動作に同期することになる。
そして、撮影用照明増幅装置２を用いた一連の撮影動作は完了する（Ｓ３１３）。
【０１０６】
上記の実施例１によると、撮影装置１の内蔵光源１１の予備発光を増幅した副増幅光によって、撮影装置１の撮影条件の設定がなされ、設定される撮影条件を、主増幅光に適したものとすることができ、撮影装置１のシャッタ動作の実行に応じて、主増幅光を発光し、増幅された照明に応じた撮影条件の設定で撮影が実行され、撮影時の露出オーバー等の不都合を防止できるという作用効果を奏する。
【実施例２】
【０１０７】
次に、図６〜図９に基づき、実施例２について説明する。
なお、実施例２の基本構成は実施例１と同様であるので、相違点を中心に説明し、重複する説明は省略する。
【０１０８】
図中、４は撮影装置、４０はレンズ、４１は内蔵光源、４２は液晶タッチパネル、４３はシャッタボタン、５は撮影用照明増幅装置、５０はケーシング、５１は受光手段、５２は増光用発光手段、５３０、５３１は操作ボタン、５４はパイロットランプである。
【０１０９】
撮影装置４は、いわゆるコンパクトデジタルカメラであり、フラッシュとして小型の内蔵光源４１を具備する。
【０１１０】
この撮影装置４の内蔵光源は、撮影時に、予備発光として、撮影条件の設定に利用される第１の予備発光と、第１の予備発光によって得られた撮影条件の設定に基づいた本発光の増幅率の設定に関する情報を含む第２の予備発光との２種類の予備発光を発光する。
【０１１１】
第１の予備発光は、撮影装置４における撮影条件の設定を行うものであり、この撮影条件の設定には、実施例１に記載した撮影条件に加え、撮影対象との距離、周囲の明暗度等の撮影条件に基づく主増幅光の増幅率に関する設定が含まれる。
第２の予備発光は、上記の増幅率の情報を含む発光信号であり、増幅率の情報は、発光パターンや強度の差によって識別される。
また、第２の予備発光には、他の撮影条件や、増幅処理自体を停止させる等の増幅率以外の制御情報を含めてもよい。
【０１１２】
撮影用照明増幅装置５の図示しない制御手段は、受光手段５１が受光した第１の予備発光の増幅処理を実行する。
この第１の予備発光の増幅処理における増幅率は、撮影条件の設定に適した所定の増幅率である。
【０１１３】
また、受光手段５１が第２の予備発光を受光したときには、第２の予備発光によって指定された増幅率を、本発光の増幅率に設定し、本発光を受光したときには、第２の予備発光によって設定された増幅率に従い、本発光の増幅処理を実行する。
【０１１４】
撮影用照明増幅装置５の操作ボタン５３０、５３１は、装置の起動及び終了、各種設定の入力に使用される。
パイロットランプ５４は、撮影用照明増幅装置５の増幅光の発光準備状態を示すものであり、発光準備が整ったときに、そのランプが点灯する。
【０１１５】
次に、図１０に基づき、上記実施例２の動作について説明する。
撮影用照明増幅装置５が装着された撮影装置４のシャッタボタン４３が押圧される（Ｓ６０１）と、内蔵光源４１が第１の予備発光を行う（Ｓ６０２）。
次に、撮影用照明増幅装置５の制御装置が、受光手段５１で受光した第１の予備発光の増幅処理を行い、増光用発光手段５２から第１の副増幅光を発光する（Ｓ６０３）。
【０１１６】
次に、第１の副増幅光の発光を用いて、撮影装置５が撮影条件を設定し（Ｓ６０４）し、撮影装置５の内蔵光源４１が、設定された撮影条件を示す情報のうち、少なくとも増幅率に関する情報を示す第２の予備発光を行う（Ｓ６０５）。
次に、撮影用照明増幅装置５において、第２の予備発光に含まれる情報に従い、増光用発光手段５２から発光される本発光の増幅率が設定される（Ｓ６０６）。
【０１１７】
次に、設定された撮影条件に従って、シャッタ動作が実行され（Ｓ６０７）、シャッタ動作に同期して、撮影装置４の内蔵光源４１が本発光する（Ｓ６０８）。
次に、受光手段５１が本発光を受光すると、第２の予備発光によって設定された増幅率に従い、受光した本発光を増幅処理する（Ｓ６０９）。
次に、増幅処理に従い、シャッタ動作と同期して、増光用発光手段５２が主増幅光を発光する（Ｓ６１０）。
【０１１８】
なお、上記の動作において、第１の予備発光の発光から第１の副増幅光の発光までの時間、第２の予備発光に基づく増幅率の設定に要する時間、及び、本発光の発光から主増幅光の発光までの時間は、極めて短く設定されているため、実質的に、増幅光の発光は、撮影装置４の動作に同期するものである。
そして、撮影用照明装置５を用いた一連の撮影動作は完了する（Ｓ６１１）。
【０１１９】
上記の実施例２によると、撮影対象との距離や、周囲の明るさに応じて、増幅光の増幅率を変更させることができるようになるため、撮影条件に細かく対応した照明の下で撮影ができるようになる。
【０１２０】
なお、実施例２では、撮影対象の距離等に応じて、増幅率の設定が自動で実行されるが、操作ボタン５３０、５３１に増幅率の切換機能を付加することによって、必要に応じ、利用者が手動で増幅率を切り換え得るようにし、例えば、利用者の目測による大まかな距離感等に応じ、増幅率の手動切換を可能にしてもよい。
【実施例３】
【０１２１】
次に、図１１に基づき、実施例３について説明する。
実施例３の主要構成は、実施例２と同様であるため、動作の面での差異を中心に説明する。
【０１２２】
実施例３では、実施例２の撮影装置４において、まず、撮影装置４のシャッタが押圧されると、撮影条件の特定のために、撮影装置４の内蔵光源が第１の予備発光を発光し（Ｓ７０１）、撮影用照明増幅装置５が第１の予備発光を受光すると、増光用発光手段５２を介して、第１の予備発光を予め定められた増幅率によって第１の副増幅光を発光し（Ｓ７０２）、第１の副増幅光を用いて、撮影装置４が撮影条件を特定する（Ｓ７０３）。
【０１２３】
この撮影条件の特定により特定される情報は、例えば、予め定められた増幅率による増幅光でも広範囲に渡って特定が容易な情報、具体的には、撮影対象との距離である。
次に、撮影情報４の内蔵光源４１が、第１の副増幅光の発光によって特定された撮影条件を示す情報を含み、かつ、撮影条件の再特定に利用される第２の予備発光を行う（Ｓ７０４）。
次に、撮影用照明増幅装置５が第２の予備発光を受光すると、増光用発光手段５２を介して、第２の予備発光に含まれる撮影条件の情報に従って第２の副増幅光と、主増幅光の増幅率を設定し、設定される増幅率に従って、増光用発光手段５２を介して第２の副増幅光を発光し（Ｓ７０５）、第２の副増幅光を用いて、撮影装置４が撮影条件を再特定し、設定する（Ｓ７０６）。
【０１２４】
次に、撮影装置４が設定された撮影条件に従ってシャッタ動作を実行し、シャッタ動作に同期して、撮影装置の内蔵光源が本発光する（Ｓ７０７）。
次に、受光手段５１が本発光を受光すると、第２の予備発光によって設定された増幅率に従い、受光した本発光を増幅処理する（Ｓ７０８）。
【０１２５】
次に、増幅処理に従い、シャッタ動作と同期して、増光用発光手段５２が主増幅光を発光する（Ｓ７０９）。
なお、上記の動作において、第１の予備発光の発光から第１の副増幅光の発光までの時間、第２の予備発光の発光から第２の副増幅光の発光までの時間、及び、本発光の発光から主増幅光の発光までの時間は、極めて短かく設定されているため、実質的に、増幅光の発光は、撮影装置４の動作に同期するものである。
そして、撮影用照明装置５を用いた一連の撮影動作は完了する（Ｓ７１０）。
【０１２６】
上記の実施例３では、実施例２と同様に、撮影対象との距離等に応じて、増幅光の増幅率を変更させることができるようになるため、撮影条件に細かく対応した照明の下で撮影ができるようになる。
【実施例４】
【０１２７】
次に、図１２に基づき、実施例４について説明する。
なお、以下の説明において、本発明の構成と直接的な関連性がない構成については、その説明を省略する。
図１２中、６は撮影装置、６０は撮影装置の動作を制御する制御手段、６１は制御手段６０からの信号に応じて発光する内蔵光源、６２は制御手段６０からの信号に応じて画像や映像等を表示するディスプレイ手段、６３は制御手段６０からの信号に応じて振動する振動手段、６４は制御手段６０に対して撮影装置６の動作に必要な電力を供給する電源手段、６５は制御手段６０からの信号に応じて撮影画像を格納する記憶手段、６６は制御手段６０からの信号に従って撮影処理を実行する、撮影用レンズを含む撮影用光学手段、６７は制御手段６０に接続された電源手段６４に接続可能に設けられる電源出入力端子である。
【０１２８】
また、７は本発明に係る撮影用照明増幅装置、７０は撮影用照明増幅装置７の動作を制御する制御手段、７１は受光したことを示す信号を制御手段７０に送出する受光手段、７２は制御手段７０からの信号に応じて増幅処理された光を発光する増幅用発光手段、７３は振動を検出したことを示す信号を制御手段７０に送出する振動検出手段、７４は制御手段７０からの信号に応じて音声を出力する音声出力手段、７５は制御手段７０に対して撮影用照明増幅装置７の動作に必要な電力を供給する増幅装置用電源手段、７６は制御手段７０に対して使用される電源の切り替えを指示する電源切替手段、７７は撮影装置６の電源出入力端子６７に接続され、制御手段７０に接続される接続端子、７８は制御手段７０に対して操作信号を送出するスイッチ、７９は制御手段７０に接続され、増幅装置用電源手段７５の充電のために図示しない充電ケーブルを接続し得る外部端子である。
【０１２９】
撮影措置６は、いわゆるスマートフォンであり、制御手段６０に接続された内蔵光源６１、ディスプレイ手段６２、振動手段６３、電源手段６４、記憶手段６５、撮影用光学手段６６、及び、電源出入力端子６７を有する。
なお、撮影装置６において、本発明と直接関連のない機能については、説明を省略する。
【０１３０】
撮影装置１は、携帯端末及び携帯電話として機能する通信機能を有するものであり、図１及び図２に示されるような薄板状の本体の一方の平面に内蔵光源６１を、他方の平面にディスプレイ手段を備えた形状である。
ディスプレイ手段６２は、入力機能を備えた液晶タッチパネルであり、撮影装置６の操作に必要な情報、及び、撮影用光学手段６６から取り込まれた画像、映像等が表示される。
【０１３１】
内蔵光源６１は、撮影装置６に内蔵された電源を用いて発行する小型のフラッシュであり、例えば、ＬＥＤ発光素子が用いられる。
この内蔵光源６１は、近距離撮影時に有効な撮影用の発光を行うものであり、予備発光と本発光とを行う。
【０１３２】
この予備発光及び本発光は、ディスプレイ手段６２の表示に基づき、ディスプレイ手段６２又は図示しない各種操作ボタンを操作して、シャッタ動作を実行したときに、シャッタ動作に伴って実行される。
予備発光は、撮影条件の設定のために、撮影に先立って撮影領域に対して発光を行い、その予備発光から得られた画像情報に基づいて撮影条件を特定するためのものである。
【０１３３】
この予備発光によって、各種撮影条件、例えば、合焦点距離、ＩＳＯ感度、レンズ絞り値、シャッタ速度等が特定され、設定される。
なお、この予備発光は、実際のシャッタ動作を伴わない半押しで発光させることもできる。
本発光は、シャッタ動作に同期して発光するものである。
【０１３４】
振動手段６３は、例えば、撮影装置６の通信機能を利用して着信があったときなどの予め定められたときに、制御手段６０からからの信号に応じて所定のパターンで振動する。
この振動パターンは、利用者の設定によって変更可能である。
電源手段６４は、充電式のバッテリーであり、制御手段６０に電力を供給することにより、撮影装置６が所要の動作を実行することを可能にする。
記憶手段６５は、少なくとも、撮影によって得られた画像ファイルを読み出し可能に格納する。
【０１３５】
撮影用光学手段６６は、撮影領域の撮影を行い、撮影用光学手段６６から撮影された画像が、制御手段６０を介してディスプレイ手段６２に表示され、必要に応じて記憶手段６５に格納されるものである。
電源出入力端子６７は、撮影装置６の電源手段６４を充電するため、図示しない充電ケーブルを接続するために設けられるものであり、電力だけではなく、接続される機器に応じて各種情報の入出力も可能な端子である。
【０１３６】
撮影用照明増幅装置７は、制御手段７０に接続された受光手段７１、増光用発光手段７２、振動検出手段７３、音声出力手段７４、増幅装置用電源手段７５、電源切替手段７６、接続端子７７、スイッチ７８、及び、外部端子７９を有する。
【０１３７】
撮影用照明増幅装置７は、撮影装置６に着脱自在に装着されるものであって、装着時には、少なくとも、撮影装置６の撮影用光学手段６５と、ディスプレイ手段６２とを塞がない状態となる。
【０１３８】
受光手段７１は、撮影用照明増幅装置７を撮影装置６に装着したときに、撮影装置６の内蔵光源６１から発光される光を受光し得る位置に設けられ、受光で得られた情報を制御手段７０に送出する。
増光用発光手段７２は、撮影装置６の撮影用光学手段６６の撮影領域に向けて発光し得るよう設けられ、受光手段７１で受光した光に応じた増幅光を発光する。
なお、本明細書における増幅とは、単に、プラス方向に増幅することだけを示すものではなく、マイナス、即ち、光量を減らす方向の増幅を含むものとする。
【０１３９】
振動検出手段７３は、撮影用照明増幅装置７に加えられた振動を検出し、振動に関する情報を制御手段７０に送出する。
音声出力手段７４は、制御手段７０からの信号に応じて、予め設定された所定の音声、例えば、サイレンや警告音を出力する。
【０１４０】
このとき、制御手段７０は、振動検出手段７４の検出結果を解析し、その振動が、撮影装置６の振動によるものか、落下の衝撃によるものか、を判別し、この２種類の振動または衝撃の判定がなされたとき、音声出力手段７４から、報知音声を発生させる信号を送出する。
【０１４１】
この信号に応じた報知音声は、撮影装置６、または、後述のスイッチ７８の操作等による設定操作を介して、振動の原因が、撮影装置６の振動か、落下の衝撃かに応じて、その強さやパターンを変更できるようになっている。
【０１４２】
例えば、検出された振動が、撮影装置６の振動によるときは、その振動とシンクロして音声を発生させたり、予め定められたパターンの信号音を発生させたり、予め定められた報知音声を発生させ、また、検出された振動が、落下の衝撃によるときは、所定時間、警告音の発生を継続させたり、断続的に警告音を発生させたりする。
【０１４３】
振動検出手段７３で検出された振動の判別を行う制御手段７０では、例えば、検出された振動が、一定の周波数の周期的発生であるときには、撮影装置６の振動手段６３によるものと判定し、一定強度以上、具体的には、例えば６Ｇ以上の単発的な発生であるときには、落下によるものと判定する。
【０１４４】
増幅装置用電源手段７５は、充電式のバッテリーであり、制御手段７０に電力を供給することにより、撮影用照明増幅装置７が所要の動作を実行することを可能にする。
電源切替手段７６は、撮影装置６及び撮影用照明増幅装置７の少なくとも一方が、何らかの動作を実行するとき、増幅装置用電源手段７５の電圧と、後述する接続端子７７を介して接続される撮影装置６の電源手段６４の電圧とを比較してバッテリーチェックを行い、実行される動作に必要な電源として出力電圧の高い増幅用電源手段７５または電源手段６４を選択して、制御手段７０及び／または撮影装置６に接続させるための信号を制御手段７０に送出する。
【０１４５】
また、バッテリーチェックの際に、増幅用電源手段７５及び電源手段６４の何れも、単体では動作の実行に必要とされる電圧に達しない場合には、両電源を並列に接続した上で、改めてバッテリーチェックを行い、必要な電圧を得られるかを確認し、得られた場合には、電源切替手段７６は、両電源を並列に接続した状態で制御手段７０及び／または撮影装置６に接続するための信号を制御手段７０に送出する。
【０１４６】
電源切替手段７６からの信号に基づき、制御手段７０は、接続すべき電源を選択する。
また、この電源切替手段７６は、利用者が使用すべき電源を直接選択できる図示しない操作手段を有するようにし、使用電源を利用者の判断で切り替えられるようにできる。
【０１４７】
次に、上記のバッテリーチェックの方法、及び、チェック後の動作の一例を具体的に説明すると、例えば、制御手段７０から出力される信号に応じて撮影用照明増幅装置７が動作する際に、その動作に対応する負荷を、例えば、抵抗やコンデンサを利用して回路上に構成し、この負荷を擬似的に増幅装置用電源手段７５に接続し、動作時の電圧をチェックし、電圧上問題がなければ、所要の動作を実行する。
【０１４８】
このバッテリーチェックで電圧不足が判明した場合、電源切替手段７６が制御手段７０に対し、電力供給元の電源を、増幅装置用電源手段７５から撮影装置６の電源手段６４に切り替える処理を実行する制御信号を送出する。
【０１４９】
この切替処理の制御信号に応じ、制御装置７０は、接続端子７７が、電源出入力端子６７から電力の供給を受け得るように接続処理を実行し、撮影装置６の電源手段６４において再度上記と同様のバッテリーチェックが実行され、電圧上問題がなければ、撮影用照明増幅装置７で実行される上記所要の動作は、撮影装置６の電源手段６４を利用して実行される。
【０１５０】
この電源手段６４のバッテリーチェックにおいても電圧が不足している場合、電源切替手段７６は、制御手段７０に対して、増幅用電源手段７５と電源手段６４を並列に接続する処理を実行する制御信号を送出する。
【０１５１】
この並列接続の制御信号に応じ、増幅装置用電源手段７５と電源手段６４が並列状態に接続され、並列接続の状態で、上記と同様のバッテリーチェックが実行され、上記と同様に、電圧上問題がなければ、並列に接続された電源を利用して上記所要の処理が実行される。
この並列状態のバッテリーチェックでも電圧が不足している場合には、電源切替手段７６から制御手段７０に対して送信される中止信号に基づいて、上記の所要の処理は中止される。
【０１５２】
この中止は、例えば、警告音や、図示しないパイロットランプの点滅等によって利用者に報知されることが望ましく、また、増幅装置用電源手段から撮影装置６の電源手段６３の利用がされる際にも、同様にして報知されることが望ましい。
なお、上記では、撮影装置６０の電源手段６４を利用する場合を説明したが、撮影装置６の動作に、撮影用照明増幅装置７の増幅装置用電源手段７５を利用する場合も考えられる。
【０１５３】
この場合、例えば、制御装置７０に、例えば、増幅装置用電源手段７５から電源手段６４に接続される回路に、増幅装置用電源手段７５から電源手段６４方向に電力を供給し得るダイオードを配置し、電源手段６４の電圧が、増幅装置用電源手段７５の電圧より所定以上低くなったときには、増幅装置用電源手段７５から撮影装置６に向けて電力が供給されるようにする。
一般的に、撮影用照明増幅装置７で必要とされる電源の容量は、撮影装置６０の電源の容量より大きいため、上記のように、ダイオードを配置して、撮影装置６０の電源として、撮影用照明増幅装置７の増幅装置用電源手段７５を利用することによって、撮影装置６０の駆動時間を飛躍的に延ばすことが可能になる。
【０１５４】
接続端子７７は、撮影用照明増幅装置７を撮影装置６に装着したときに、撮影装置６の電源出入力端子６７に接続し得るよう配置される。
この接続端子７７と、電源出入力端子６７の接続を介して、増幅用電源手段７５と電源手段６４とを相互に切り替え、及び、組み合わせが可能になり、両電源手段が、撮影用照明増幅装置７と撮影装置６が撮影用照明増幅装置７と撮影装置６に対して双方向に接続されることになる。
【０１５５】
スイッチ７８は、制御手段７０に対して、増光用発光手段７２及び音声出力手段７９の少なくとも一方を動作させるものである。
このスイッチ７８は、増光用発光手段７２の点灯、消灯をオンオフするスイッチであるが、このほか、数種類のモード、例えば、増光用発光手段７２を点灯する電灯モード、増光用発光手段７２を予め定められたパターンで点滅させるシグナル発光モード、音声出力手段７４から警告音声を出力するサイレンモード、増光用発光手段７２及び音声出力手段７４を同時に動作させる緊急報知モードのような複数の動作モードを選択してオンオフ可能なものであってもよい。
【０１５６】
そして、このスイッチ７８は、モード別に複数のスイッチを設けてもよいし、一つのスイッチで、例えば、シングルクリック、ダブルクリック、長押しのように、押圧方法を変更することによってモードを選択できるようにしてもよく、さらに、いくつかのモードについては、同一の操作でモードがローテーションすることによって選択できるようにしてもよい。
【０１５７】
さらに、このスイッチ７８によって制御し得る動作は、接続端子７７の接続を介して、撮影装置６のスイッチや、タッチパネルからの入力によって制御したり、パターンや種類等を選択、設定できたりするようになっている。
外部端子７９は、制御手段７０を介して、増幅装置用電源手段７５を充電するための図示しない充電ケーブルが接続されるものであり、撮影装置６に撮影用照明増幅装置７を装着した状態で、充電し得る位置に設けられることが望ましい。
なお、図１２では、撮影用照明増幅装置には記憶手段が記載されていないが、発光パターンや報知音声等の情報等を格納する記憶手段が設けられている。
【０１５８】
次に、図１３から図１８に基づき、図１２に示した実施例４を備えたケースを説明する。
図１３から図１８中、８はケース、８０はケース８の主要部、８０ａは主要部８の開口縁、８１は主要部８０に着脱される着脱部、８１ａは着脱部８１の開口縁、８１ｂは着脱部８１のレンズ用開口、８１ｃ、８１ｄは開口、８１ｅは切り欠きである。
なお、図１２に記載された構成要素については、同一の番号を付してある。
【０１５９】
ケース８は、主要部８０と着脱部８０とからなり、スマートフォンである図示しない撮影装置に装着される保護ケースを兼ねたものである。
保護ケースは、既に汎用のものが公知となっているので、その詳細な構成の説明は省略する。
主要部８０は、図１３中、着脱部８１が上方向に外された状態で、上方向から内部にスマートフォンを収容する。
【０１６０】
この収容によって、主要部８０に対し、図示しない撮影装置が押し下げられることによって、撮影装置の電源出入力端子が接続端子７７に係合される。
音声出力手段７４は、接続端子７７の近傍に設けられ、この近傍には、図示しない増幅装置用電源手段が設けられる。
主要部８０の底面には、図１６に示したように、スイッチ７８、外部端子７９が設けられる。
【０１６１】
本実施例では、外部端子７９は、ＵＳＢ端子であり、ＵＳＢ端子経由で充電が行われる他、外部端子７９に外部の端末装置（例えばパーソナルコンピュータ）が接続された場合には、撮影用照明増幅装置７及び図示しない撮影装置に対し、各種情報の出入力ができるようになっている。
【０１６２】
着脱部８１は、図１３における主要部８０の上端側に、上下方向に着脱自在に設けられるものであり、ケース８の内部に収容される撮影装置の撮影用光学手段のレンズに対応する位置に、開口８１ｂを有する。
なお、本実施例の撮影装置では、レンズの横に内蔵光源が設けられているため、上記開口８１ｂは、撮影装置のレンズと共に、内蔵光源を塞がない形状となっている。
さらに、この開口８１ｂには、撮影用照明増幅装置の図示しない受光手段が取り付けられ、内蔵光源が発する光を受光できるようになっている。
【０１６３】
また、内部に撮影装置を収容した状態で、主要部８０に着脱部８１を取り付けたとき、撮影装置のディスプレイ手段の外面に相対する領域には開口が設けられ、前記ディスプレイ手段は、開口縁８０ａ、８１ａに囲まれた状態で、外部に露出する。
また、撮影装置に設けられる接続端子や、スイッチに対応する位置には、開口８１ｃ、８１ｄ、切り欠き８１ｅが設けられ、撮影装置に対し、ケース８が装着された状態で、所要のスイッチ操作や、端子の接続ができるようになっている。
【０１６４】
次に、図１９に基づき
図１２−図１８に記載の実施例４を具備したケースを使用した場合の電源選択動作について説明する。
【０１６５】
まず、本発明に係る撮影用照明増幅装置７を備えたケース８を撮影装置６に装着する（Ｓ１０１）。
この装着時点では、撮影用照明増幅装置７の電源として増幅装置用電源手段７５が選択される（Ｓ１０２）。
次に、撮影用照明増幅装置７の動作の処理が開始される（Ｓ１０３）と、電源切替手段７６によってバッテリーチェックが開始される（Ｓ１０４）。
【０１６６】
バッテリーチェックが開始されると、動作の処理に必要とされる予想負荷が、抵抗やコンデンサを利用した回路で形成され（Ｓ１０５）、この予想負荷を増幅装置用電源手段７５に擬似的に接続し（Ｓ１０６）、上記処理で予想される電圧をチェックし（Ｓ１０７）、電圧不足でなければ（Ｓ１０８でＮｏ）、電圧をチェックした電源を用いて上記動作の処理を実行する（Ｓ１０９）。
一方、電圧チェックでＹｅｓの場合（Ｓ１０８でＹｅｓ）、チェックした電源が、増幅装置用電源手段７５であって、撮影装置６の電源手段６４を利用していない場合（Ｓ１１０でＮｏ）、利用する電源手段を撮影装置６の電源手段６４に切り替える（Ｓ１１１）。
【０１６７】
そして、再度、予備負荷への擬似接続（Ｓ１０６）を行い、電圧をチェック（Ｓ１０７）し、電圧が不足していなければ（Ｓ１０８でＮｏ）、処理を実行する（Ｓ１０９）。
この電圧チェックでも、電圧が不足している場合（Ｓ１０８でＹｅｓ）、電源手段６４を使用中であって（Ｓ１１０でＹｅｓ）、増幅装置用電源手段７５と電源手段６４が並列に接続されていなければ（Ｓ１１２でＮｏ）、両電源手段を並列に接続し（Ｓ１１３）、並列状態で、予備負荷への擬似接続（Ｓ１０６）を行い、電圧をチェック（Ｓ１０７）し、電圧が不足していなければ（Ｓ１０８でＮｏ）、処理を実行する（Ｓ１０９）。
【０１６８】
この電圧チェックでも、電圧が不足している場合（Ｓ１０８でＹｅｓ）、電源手段６４を使用中であって（Ｓ１１０でＹｅｓ）、増幅装置用電源手段７５と電源手段６４が並列に接続されていれば（Ｓ１１２でＹｅｓ）、所要の処理が中止される（Ｓ１１４）。
上記のように、使用する電源を選択することにより、撮影用照明増幅装置７の動作に、充電状況に応じて、適切な電源手段を採用することができるようになり、効率的な運用が可能になる。
【０１６９】
なお、上記のフローチャートでは、１つの電源のバッテリーチェックの結果、電圧が不足したときに、次の電源のバッテリーチェックを実行するように構成したが、増幅装置用電源手段７５と、電源手段６４をそれぞれ予想負荷に接続し、バッテリーチェックを行い、電源手段６４の電圧が、増幅装置用電源手段７５の電圧以上であるときには、電源手段６４を利用して撮影用照明増幅装置７の処理を実行するようにしてもよい。
【０１７０】
次に、本発明に係る撮影用照明増幅装置における、撮影時期の認知発光の実行について説明する。
本発明では、撮影時の発光強度を高めた上で、高められた発光に応じた撮影条件で撮影ができるようになるため、撮影者と被撮影者の間隔を広くすることができるようになる。
【０１７１】
この場合、撮影者がシャッタを切るタイミングが、被撮影者に伝わり難くなって、シャッタが切られる瞬間に、被撮影者が動くなどして、写真がぶれたり、意図しない表情やポーズでの撮影がなされたりする。
このため、本発明の増光用発光手段の副増幅光による撮影条件の設定の後、主増幅光の発光、即ち、シャッタが落ちるタイミングの前に、シャッタの落ちる時期を目指して、カウントダウンパターンの発光を、増光用発光手段に実行させる。
【０１７２】
この機能の設定は、撮影装置の操作によって設定できるよう構成される。
このカウントダウンパターンは、従来の撮影機材のセルフタイマーの実行時に、周囲にシャッタの落ちるタイミングを知らせるために点滅するパターンと同様のものであり、例えば、数回の点滅の後、所定時間の点灯が継続するものであり、この点灯の終了に伴って、シャッタが落ちるようになっている。
この機能を利用すれば、撮影者から離れた被撮影者に対し、撮影時期を的確に事前報知できるようになって、ミスショットを減らすことができるようになる。
【０１７３】
次に、本発明に係る撮影用照明増幅装置における、赤目緩和光の発光の実行について説明する。
スマートフォンなどの撮影装置に内蔵されている内蔵光源の光は、既に説明した通り、撮影に十分な光量ではないが、本発明に係る撮影用照明増幅装置を使用すると、撮影に十分な光量を得ることができるようになる。
【０１７４】
撮影における赤目現象は、眼底反射光の写り込みが原因であって、これを防止するため、被撮影者の瞳孔を絞ることを目的として、撮影の直前に赤目緩和光を発光させることがある。
この赤目現象は、撮影時の照明が強いときに発生しやすいため、内蔵されている電源手段の容量が小さいスマートフォンのような携帯端末型の撮影装置の内蔵光源を利用した撮影では、光が弱く、赤目現象は生じにくかった。
【０１７５】
また、この赤目緩和光には、消費電力も大きく、電源手段の容量上の問題から、小型の撮影装置では、赤目緩和光の発光機能を採用できたとしても、多用すると撮影装置の駆動時間が大幅に短縮されるため、利用しにくかった。
このため、上記のような撮影装置では、赤目緩和光の発光機能は、不要であるか、機能があったとしても、使用されることも少なかった。
【０１７６】
本発明に係る撮影用照明増幅装置では、撮影時の照明が増幅されるため、そのまま撮影をすれば、赤目現象が頻発する。
このため、本発明に係る撮影用照明増幅装置では、赤目緩和光の発光機能を設けることが推奨される。
この赤目緩和光の発光機能は、主増幅光の発光の前に、増光用発光手段から、被撮影者の瞳孔を絞るに足る光量の赤目緩和光を所定時間照射し、その後、主増幅光の発光と共にシャッタを落とすものである。
この機能を採用すれば、赤目現象のない写真を撮影できるようになる。
【０１７７】
次に、実施例４において、救難信号の出力について説明する。
実施例４では、スイッチ７８の操作によって、救難信号を出力させることができる。
具体的には、撮影装置６に装着された撮影用照明増幅装置７のスイッチ７８の操作によって、制御手段７０が、救難信号の出力信号を受け付けると、救難信号出力のサブルーチンが開始される。
【０１７８】
このサブルーチンが開始されると、増光用発光手段７２が予め定められた光量及びパターンで発光を開始すると共に、音声出力手段７４から、予め定められた警報音が出力される。
この発光と音声出力は、スイッチ７８の操作を介して、制御手段７０が停止信号を受け付けるまで、または、電源手段７５のバッテリー切れまで継続する。
【０１７９】
停止信号が受け付けられたときには、発光と音声出力が停止し、救難信号出力のサブルーチンが終了する。
本発明の増光用発光手段は、非常に強力な光を発光させることが可能であるので、事故や遭難の際、自分の位置を捜索者などの第三者に効果的に知らせることができるようになる。
【０１８０】
本発明は、上記のように構成されるが、本発明は上記の実施例に限定されるものではない。
例えば、撮影装置は、内蔵光源を用いた撮影機能を有する装置で、例えば、携帯電話、モバイルパソコン、デジタルカメラ、モバイル端末等、どのようなものであってもよい。
また、上記の実施例では、内蔵光源からの発光は、撮影対象に対して遮断し、その発光の全てを受光装置で受光するようにしたが、内蔵光源の発光の一部を受光するようにし、受光した光に基づいて増幅処理を実行するようにしてもよく、内蔵光源からの発光の一部が撮影対象に到達し得るようにしてもよい。
【０１８１】
また、撮影用照明増幅装置の制御手段で増幅処理のために制御する対象は、光の発光強度、発光時間、発光波形に限定されない。
また、本発光と予備発光の増幅率は、予め定められた共通の特定の増幅率であっても、予め定められた両者で異なる増幅率であっても、撮影条件に応じて変更されるようにしてもよい。
また、増幅率は、撮影条件に応じて数値で設定できるようにしても、複数段に区別された増幅率の中から、適切な範囲の増幅率の段を選択するようにしてもよい。
【０１８２】
また、増幅率が撮影対象との距離に応じて設定される場合、遠距離の増幅率が、近距離の増幅率より高く設定されるものである。
また、増幅率は、単位時間当たりの光強度のみではなく、例えば、発光時間の調整によって制御してもよい。
【０１８３】
また、予備発光の発光によって得られる撮影条件の情報が、合焦点距離、ＩＳＯ感度、レンズ絞り値、シャッタ速度以外の情報であってもよい。
また、各種増幅光の間には、インターバルを挟んでもよく、反対に、これらの増幅光を連続点灯させてもよい。
また、主増幅光は、シャッタ動作の開始前から点灯し、撮影装置におけるシャッタ動作の制御により、撮影に用いられる光量を調整してもよい。
【０１８４】
また、ケーシングの形状は、撮影装置の形状に応じて本発明の範囲内で自由に設計変更できるものである。
また、本発明は、撮影用照明増幅装置単体であっても、撮影装置と合わせたシステムであってもよい。
【０１８５】
また、本発明における増幅光は、単に、予備発光と本発光の光量や強度を単に増幅したものに限定されず、例えば、所定範囲の波長のみが強調された特殊な光線や、赤外線のように撮影に使用可能な光のように、光の要素の一部が他の要素より増幅された状態のものであってもよい。
【０１８６】
この場合、撮影装置に対し、増幅光の性質に応じた撮影ができるよう、撮影モード切り換え機能を設けてもよく、副増幅光と主増幅光の光の要素の構成を変えてもよい。
さらに、各実施例に採用された構成は、他の実施例に採用することも可能である。
また、上記の実施例では、増光用発光手段によって、内蔵光源の発光より、発光を強くしているが、本明細書における増光とは、マイナス方向の増光を含むため、撮影状況によっては、内蔵光源の光よりも弱い光を増光用発光手段から発光するようにしてもよい。
【０１８７】
また、撮影時期の認知発光の最終段階の発光を、赤目緩和光の発光としてもよい。
また、図１２においては、各構成要素が制御手段を介して接続されているが、これは実施例の一例であって、本発明に係る機能を実現できる構成であれば、この回路構成に拘泥されることはなく、例えば、電源と接続端子は直接接続されるよう構成されていてもよく、また、撮影装置の構成も、撮影機能を有する撮影装置であれば、どのようなものであってもよい。
さらに、本発明は、本発明の範囲内で自由に設計変更し得るものであり、上記実施例に限定されるものではない。
【産業上の利用可能性】
【０１８８】
本発明は、簡単で低出力な内蔵光源しか有さず、増設用のフラッシュやスピードライトとの制御情報の送受信のためのケーブル接続手段や情報伝達手段を有しない撮影装置に対し、照明増幅装置を装着するだけで、適切な光量の下での適切な撮影条件で撮影ができるになり、ユーザの利便性の向上の点で利用可能性が高い。
【符号の説明】
【０１８９】
１          撮影装置
１０        レンズ
１１        内蔵光源
１２        液晶タッチパネル
１３０      操作ボタン
１３１      操作ボタン
１３２      操作ボタン
１３３      スピーカ
２          撮影用照明増幅装置
２０        ケーシング
２１        受光手段
２２        増光用発光手段
４          撮影装置
４０        レンズ
４１        内蔵光源
４２        液晶タッチパネル
４３        シャッタボタン
５          撮影用照明増幅装置
５０        ケーシング
５１        受光手段
５２        増光用発光手段
５３０      操作ボタン
５３１      操作ボタン
５４        パイロットランプ
６          撮影装置
６０        制御手段
６１        内蔵光源
６２        ディスプレイ手段
６３        振動手段
６４        電源手段
６５        記憶手段
６６        撮影用光学手段
６７        電源出入力端子
７          撮影用照明増幅装置
７０        制御手段
７１        受光手段
７２        増幅用発光手段
７３        振動検出手段
７４        音声出力手段
７５        増幅装置用電源手段
７６        電源切替手段
７７        接続端子
７８        スイッチ
７９        外部端子
【図１】
2012177897.tif 000003
【図２】
2012177897.tif 000004
【図３】
2012177897.tif 000005
【図４】
2012177897.tif 000006
【図５】
2012177897.tif 000007
【図６】
2012177897.tif 000008
【図７】
2012177897.tif 000009
【図８】
2012177897.tif 000010
【図９】
2012177897.tif 000011
【図１０】
2012177897.tif 000012
【図１１】
2012177897.tif 000013
【図１２】
2012177897.tif 000014
【図１３】
2012177897.tif 000015
【図１４】
2012177897.tif 000016
【図１５】
2012177897.tif 000017
【図１６】
2012177897.tif 000018
【図１７】
2012177897.tif 000019
【図１８】
2012177897.tif 000020
【図１９】
2012177897.tif 000021